(57)【特許請求の範囲】
【請求項１】
複数の第１コネクタと、これらの第１コネクタを嵌合するための横一列に並んだ複数のコネクタ嵌合室を有する第２コネクタとを備え、前記複数の第１コネクタには嵌合方向の長さが異なるコネクタが含まれる多連装コネクタであって、
それぞれのコネクタ嵌合室において前記第１コネクタの嵌合完了位置を決める位置決め部は、正規に嵌合完了した複数の第１コネクタの後端面が面一に揃うように、接続される第１コネクタの嵌合方向の長さに応じた配置に装備されていることを特徴とする多連装コネクタ。
【発明の詳細な説明】
【技術分野】
【０００１】
本発明は、複数の第１コネクタが、横一列に並んだ状態で第２コネクタに嵌合装着される多連装コネクタに関する。
【背景技術】
【０００２】
図６は、プリント回路板に直付けされる多連装コネクタの従来例を示したものである。
この多連装コネクタ１００は、下記特許文献１に開示されたもので、複数の第１コネクタ１１０と、これらの第１コネクタ１１０が嵌合装着される第２コネクタ１２０と、を備える。
【０００３】
第２コネクタ１２０は、図示のように、複数のコネクタ嵌合室１２１が、横一列に並んだ形態に装備されている。各コネクタ嵌合室１２１は、第１コネクタ１１０を嵌合装着する部位である。
【０００４】
また、図６の多連装コネクタ１００の場合は、第２コネクタ１２０に、一括嵌合検知部材１３０を備えている。この一括嵌合検知部材１３０は、各コネクタ嵌合室１２１に仮装着された複数の第１コネクタ１１０の後端を、一括して、正規の嵌合完了位置に押し込む部材である。この一括嵌合検知部材１３０は、一端側がヒンジ１３１により回動可能に第２コネクタ１２０に結合されていて、回動操作により、各第１コネクタ１１０の後端に押し当てる。
【０００５】
一括嵌合検知部材１３０による押し込みによって、複数の第１コネクタ１１０の全てが正規の嵌合完了位置に押し込まれた場合には、一括嵌合検知部材１３０の他端に設けられている係合フック１３２が第２コネクタ１２０に装備されている係合部に係合して、一括嵌合検知部材１３０が第２コネクタ１２０の後端に固定された状態になる。
【０００６】
即ち、上記多連装コネクタ１００では、一部の第１コネクタ１１０が正規の嵌合完了位置に到達していない半挿入状態にある場合には、一括嵌合検知部材１３０の係合フック１３２が第２コネクタ１２０側の係合部に係合せず、その状態から、半挿入状態の有無を検知することができる。
【０００７】
なお、図６に示した多連装コネクタ１００の場合、第２コネクタ１２０に装着される複数の第１コネクタ１１０は、全て、形状及び寸法が同一である。しかし、多連装コネクタの中には、図７及び図８に示すような構成のものもある。
【０００８】
図７及び図８に示した多連装コネクタ１００Ａは、複数の第１コネクタ１１０ａ，１１０ｂ，１１０ｃ，１１０ｄと、これらの第１コネクタ１１０ａ，１１０ｂ，１１０ｃ，１１０ｄが嵌合装着される第２コネクタ１２０Ａと、を備える。
【０００９】
第２コネクタ１２０Ａは、図示のように、複数のコネクタ嵌合室１２１ａ，１２１ｂ，１２１ｃ，１２１ｄが、横一列に並んだ形態に装備されている。各コネクタ嵌合室１２１ａ，１２１ｂ，１２１ｃ，１２１ｄは、第１コネクタ１１０ａ，１１０ｂ，１１０ｃ，１１０ｄを嵌合装着する部位である。
【００１０】
複数の第１コネクタ１１０ａ，１１０ｂ，１１０ｃ，１１０ｄは、収容する接続端子数や端子形状の相異のために、幅寸法が相異している。
【００１１】
また、第１コネクタ１１０ｃは、嵌合方向の長さが、その他の第１コネクタ１１０ａ，１１０ｂ，１１０ｄよりも短い。
【００１２】
また、第２コネクタ１２０Ａの各コネクタ嵌合室１２１ａ，１２１ｂ，１２１ｃ，１２１ｄには、図９に示すように、突き当て壁１２２ａ，１２２ｂ，１２２ｃ，１２２ｄが設けられている。
【００１３】
これらの突き当て壁１２２ａ，１２２ｂ，１２２ｃ，１２２ｄは、第１コネクタ１１０ａ，１１０ｂ，１１０ｃ，１１０ｄの先端面が当接することにより、第１コネクタ１１０ａ，１１０ｂ，１１０ｃ，１１０ｄの嵌合完了位置を決める位置決め部である。
【００１４】
従来の多連装コネクタの場合、上記の突き当て壁１２２ａ，１２２ｂ，１２２ｃ，１２２ｄは、図９に示したように、横一列に位置を揃えて装備されている。
【００１５】
従って、全ての第１コネクタ１１０ａ，１１０ｂ，１１０ｃ，１１０ｄが正規の嵌合完了位置に押し込まれた場合には、図１０に示すように、嵌合方向の長さが短い第１コネクタ１１０ｃの後端が、他の第１コネクタ１１０ａ，１１０ｂ，１１０ｄの後端よりも嵌合長さの差分Ｌ１だけ凹んだ状態になる。
【００１６】
一方、嵌合方向の長さが短い第１コネクタ１１０ｃが半挿入状態で、その他の第１コネクタ１１０ａ，１１０ｂ，１１０ｄは正規の嵌合完了位置まで挿入された完全挿入状態の場合には、嵌合方向の長さが短い第１コネクタ１１０ｃの後端の凹みが正規の場合よりも小さくなったり、或いは、図１１に示すように、第１コネクタ１１０ｃの後端が他の第１コネクタ１１０ａ，１１０ｂ，１１０ｄの後端の位置に揃う状態となる。
【先行技術文献】
【特許文献】
【００１７】
【特許文献１】特開２００８−６６１２２号公報
【発明の概要】
【発明が解決しようとする課題】
【００１８】
ところが、特許文献１に記載のように、第２コネクタ１２０に対して複数の第１コネクタ１１０を一括嵌合検知部材１３０により正規の嵌合完了位置に押し込む構成の多連装コネクタ１００では、一括嵌合検知部材１３０の装備のために、コネクタの構造が複雑化し、コストアップを招くという問題があった。
【００１９】
また、図９に示したように、第２コネクタ１２０Ａのコネクタ嵌合室１２１ａ，１２１ｂ，１２１ｃ，１２１ｄに装備される突き当て壁１２２ａ，１２２ｂ，１２２ｃ，１２２ｄが、横一列に位置を揃えて装備された多連装コネクタ１００Ａの場合は、各コネクタ嵌合室１２１ａ，１２１ｂ，１２１ｃ，１２１ｄに嵌合装着される複数の第１コネクタ１１０ａ，１１０ｂ，１１０ｃ，１１０ｄの一部に、嵌合方向の長さが異なるコネクタが含まれていると、嵌合方向の長さの短いコネクタの後端は、他のコネクタよりも後端の位置が凹んだ状態になる。
【００２０】
しかし、嵌合方向の長さが異なる複数の第１コネクタが同時に半挿入状態になっていると、後端位置が不揃いの箇所が複数発生してしまい、外観だけでは半挿入状態のコネクタを判別することが難しくなってしまう場合が発生する。
【００２１】
そこで、本発明の目的は、上記課題を解消することに係り、第２コネクタに連装される複数の第１コネクタにおける半挿入状態の有無を、特別な部材を使用せず、外観だけで、簡単に判別することができ、構成の単純化によりコスト低減を図ることのできる多連装コネクタを提供することにある。
【課題を解決するための手段】
【００２２】
本発明の前述した目的は、下記の構成により達成される。
（１）複数の第１コネクタと、これらの第１コネクタを嵌合するための横一列に並んだ複数のコネクタ嵌合室を有する第２コネクタとを備え、前記複数の第１コネクタには嵌合方向の長さが異なるコネクタが含まれる多連装コネクタであって、
それぞれのコネクタ嵌合室において前記第１コネクタの嵌合完了位置を決める位置決め部は、正規に嵌合完了した複数の第１コネクタの後端面が面一に揃うように、接続される第１コネクタの嵌合方向の長さに応じた配置に装備されていることを特徴とする多連装コネクタ。
【００２３】
上記（１）の構成によれば、第２コネクタに対して全ての第１コネクタが正規の嵌合完了位置に押し込まれた場合には、各第１コネクタの嵌合方向の長さの差異に関係なく、全ての第１コネクタの後端面が面一に揃う。
【００２４】
言い換えれば、第２コネクタに対して半挿入状態になる第１コネクタは、そのコネクタの嵌合方向の長さに関係なく、後端面が他の完全挿入状態の第１コネクタの後端面の位置よりも突出した状態になる。
【００２５】
従って、第２コネクタ上に横一列に並ぶ複数の第１コネクタに対して、後端面が他の第１コネクタよりも突出したものが有るか否かを外観で比較するだけで、特別な部材を使用せず、簡単に半挿入状態の有無を判別することができる。
【００２６】
また、半挿入状態の有無の判別に、例えば一括嵌合検知部材のような特別な部材を使用していないため、コネクタの構成の単純化によりコスト低減を図ることもできる。
【発明の効果】
【００２７】
本発明による多連装コネクタによれば、第２コネクタに対して半挿入状態になる第１コネクタは、そのコネクタの嵌合方向の長さに関係なく、後端面が他の完全挿入状態の第１コネクタの後端面の位置よりも突出した状態なる。
【００２８】
従って、第２コネクタ上に横一列に並ぶ複数の第１コネクタに対して、後端面が他の第１コネクタよりも突出したものが有るか否かを外観で比較するだけで、特別な部材を使用せず、簡単に半挿入状態の有無を判別することができる。
【００２９】
また、半挿入状態の有無の判別に、例えば一括嵌合検知部材のような特別な部材を使用していないため、コネクタの構成の単純化によりコスト低減を図ることもできる。
【図面の簡単な説明】
【００３０】
【図１】本発明に係る多連装コネクタの一実施形態の分解斜視図である。
【図２】図１に示した多連装コネクタの組立状態の斜視図である。
【図３】図１に示した第２コネクタと、該第２コネクタに装着される複数の第１コネクタとの水平断面図である。
【図４】図３に示した第２コネクタに複数の第１コネクタが嵌合装着され、全ての第１コネクタが完全挿入状態となっている場合の水平断面図である。
【図５】図３に示した第２コネクタに複数の第１コネクタが嵌合装着され、嵌合方向の長さが短い第１コネクタのみが半挿入状態となっている場合の水平断面図である。
【図６】従来の多連装コネクタの分解斜視図である。
【図７】従来の別の多連装コネクタの分解斜視図である。
【図８】図７に示した多連装コネクタの組立状態の斜視図である。
【図９】図７に示した第２コネクタと、該第２コネクタに装着される複数の第１コネクタとの水平断面図である。
【図１０】図９に示した第２コネクタに複数の第１コネクタが嵌合装着され、全ての第１コネクタが完全挿入状態となっている場合の水平断面図である。
【図１１】図９に示した第２コネクタに複数の第１コネクタが嵌合装着され、嵌合方向の長さが短い第１コネクタのみが半挿入状態となっている場合の水平断面図である。
【発明を実施するための形態】
【００３１】
以下、本発明に係る多連装コネクタの好適な実施形態について、図面を参照して詳細に説明する。
【００３２】
図１〜図５は本発明に係る多連装コネクタの一実施形態を示したもので、図１は本発明に係る多連装コネクタの一実施形態の分解斜視図、図２は図１に示した多連装コネクタの組立状態の斜視図、図３は図１に示した第２コネクタと、該第２コネクタに装着される複数の第１コネクタとの水平断面図、図４は図３に示した第２コネクタに複数の第１コネクタが嵌合装着され、全ての第１コネクタが完全挿入状態となっている場合の水平断面図、図５は図３に示した第２コネクタに複数の第１コネクタが嵌合装着され、嵌合方向の長さが短い第１コネクタのみが半挿入状態となっている場合の水平断面図である。
【００３３】
この一実施形態の多連装コネクタ１は、図７及び図８に開示された多連装コネクタ１００Ａを改良したもので、４つの第１コネクタ１１０ａ，１１０ｂ，１１０ｃ，１１０ｄと、これらの４つの第１コネクタ１１０ａ，１１０ｂ，１１０ｃ，１１０ｄが嵌合装着される第２コネクタ２０と、を備える。
【００３４】
第２コネクタ２０は、図１に示すように、複数のコネクタ嵌合室２１ａ，２１ｂ，２１ｃ，２１ｄが、横一列に並んだ形態に装備されている。各コネクタ嵌合室２１ａ，２１ｂ，２１ｃ，２１ｄは、第１コネクタ１１０ａ，１１０ｂ，１１０ｃ，１１０ｄを嵌合装着する部位である。
【００３５】
複数の第１コネクタ１１０ａ，１１０ｂ，１１０ｃ，１１０ｄは、収容する接続端子数や端子形状の相異のために、幅寸法が相異している。
【００３６】
また、第１コネクタ１１０ｃは、嵌合方向の長さが、その他の第１コネクタ１１０ａ，１１０ｂ，１１０ｄよりも短い。即ち、第２コネクタ２０に装着される複数の第１コネクタには、嵌合方向の長さが異なるコネクタが含まれる。
【００３７】
具体的には、図３に示すように、３つの第１コネクタ１１０ａ，１１０ｂ，１１０ｄは、全て、嵌合方向の長さがＬ２に形成されている。これに対して、短尺の第１コネクタ１１０ｃは、嵌合方向の長さがＬ３に設定されている。図３に示すように、長さＬ３と長さＬ２との差分は、Ｌ４である。
【００３８】
また、第２コネクタ２０の各コネクタ嵌合室２１ａ，２１ｂ，２１ｃ，２１ｄには、図３に示すように、突き当て壁２２ａ，２２ｂ，２２ｃ，２２ｄが設けられている。
【００３９】
これらの突き当て壁２２ａ，２２ｂ，２２ｃ，２２ｄは、第１コネクタ１１０ａ，１１０ｂ，１１０ｃ，１１０ｄの先端面が当接することにより、第１コネクタ１１０ａ，１１０ｂ，１１０ｃ，１１０ｄの嵌合完了位置を決める位置決め部である。
【００４０】
本実施形態の多連装コネクタ１の場合、各突き当て壁２２ａ，２２ｂ，２２ｃ，２２ｄは、図４に示すように、正規に嵌合完了した複数の第１コネクタ１１０ａ，１１０ｂ，１１０ｃ，１１０ｄの後端面が、基準面位置Ｈ１上に面一に揃うように、接続される第１コネクタの嵌合方向の長さに応じた配置に装備されている。
【００４１】
即ち、本実施形態の場合、短尺の第１コネクタ１１０ｃを位置決めする突き当て壁２２ｃは、他の突き当て壁２２ａ，２２ｂ，２２ｄと比較して、図３に示すように、第１コネクタ１１０ｃと他の第１コネクタとにおける嵌合方向の長さの差分Ｌ４だけ、第１コネクタ側に出っ張って配置されている。
【００４２】
そのため、嵌合方向の長さが短い第１コネクタ１１０ｃが半挿入状態で、その他の第１コネクタ１１０ａ，１１０ｂ，１１０ｄは正規の嵌合完了位置まで挿入された完全挿入状態の場合には、図５に示したように、第１コネクタ１１０ｃの後端が、他の第１コネクタ１１０ａ，１１０ｂ，１１０ｄの後端の位置（基準面位置Ｈ１）よりも挿入不足分Ｌ５だけ出っ張った状態になり、第１コネクタ１１０ｃが半挿入状態であることを、外観から簡単に判別することができる。
【００４３】
以上に説明した一実施形態の多連装コネクタ１では、第２コネクタ２０に対して全ての第１コネクタ１１０ａ，１１０ｂ，１１０ｃ，１１０ｄが正規の嵌合完了位置に押し込まれた場合には、図４に示したように、各第１コネクタ１１０ａ，１１０ｂ，１１０ｃ，１１０ｄの嵌合方向の長さの差異に関係なく、全ての第１コネクタ１１０ａ，１１０ｂ，１１０ｃ，１１０ｄの後端面が面一に揃う。
【００４４】
言い換えれば、第２コネクタ２０に対して半挿入状態になる第１コネクタは、そのコネクタの嵌合方向の長さに関係なく、図５に示したように、後端面が他の完全挿入状態の第１コネクタの後端面の位置よりも突出した状態なる。
【００４５】
従って、第２コネクタ２０上に横一列に並ぶ複数の第１コネクタ１１０ａ，１１０ｂ，１１０ｃ，１１０ｄに対して、後端面が他の第１コネクタよりも突出したものが有るか否かを外観で比較するだけで、特別な部材を使用せず、簡単に半挿入状態の有無を判別することができる。
【００４６】
また、半挿入状態の有無の判別に、例えば一括嵌合検知部材のような特別な部材を使用していないため、コネクタの構成の単純化によりコスト低減を図ることもできる。
【００４７】
なお、本発明の多連装コネクタは、前述した実施形態に限定されるものでなく、適宜な変形、改良等が可能である。
【００４８】
例えば、第２コネクタに嵌合装着される第１コネクタの数量は、上記実施形態に限らない。また、第２コネクタに嵌合装着される複数の第１コネクタは、嵌合方向の長さが相異する３種以上のコネクタで構成される場合にも、本発明を適用することができる。
【００４９】
また、各コネクタ嵌合室において第１コネクタの嵌合完了位置を決める位置決め部の具体的な形態は、上記実施形態に示した突き当て壁に限らない。例えば、位置決め部を、部分的な突起状に装備することも可能である。
【符号の説明】
【００５０】
１  多連装コネクタ
２０  第２コネクタ
２１ａ，２１ｂ，２１ｃ，２１ｄ  コネクタ嵌合室
２２ａ，２２ｂ，２２ｃ，２２ｄ  突き当て壁（位置決め部）
１１０ａ，１１０ｂ，１１０ｃ，１１０ｄ  第１コネクタ
【図１】
0005647016.tif 000002
【図２】
0005647016.tif 000003
【図３】
0005647016.tif 000004
【図４】
0005647016.tif 000005
【図５】
0005647016.tif 000006
【図６】
0005647016.tif 000007
【図７】
0005647016.tif 000008
【図８】
0005647016.tif 000009
【図９】
0005647016.tif 000010
【図１０】
0005647016.tif 000011
【図１１】
0005647016.tif 000012